(57)【要約】【課題】本発明は、各非常用照明装置の点検を確実に行えるとともに、個別の非常用照明装置の点検効率を向上させ、さらにリニューアルにも対応することができる非常用照明装置を提供する。【解決手段】本実施形態によれば、受信部７３の受信により非常点検モードを開始するきっかけを専用リモコン６０の赤外線の受信に限定していることより、他の通信信号の誤受信による不所望な非常点検が開始されないようにしている。一方、非常点検の点検結果は、自動的に電波６１にて送信するようにしているため、点検作業者は、点検結果を収集するために再び各誘導灯１の設置場所に行かなくてもよい。これにより、確実に非常点検が実施できるとともに、点検作業者が各誘導灯１の設置場所へ行く回数を極力抑えることができるので、点検作業の効率化を図ることができる。【選択図】図４
2008084685.tif 000002
【特許請求の範囲】
【請求項１】
光源と；
光源を点灯する点灯回路と；
停電時または点検時に点灯回路に電源を供給するバッテリと；
常時にバッテリを充電する充電回路と；
外部の送信機からの赤外線による点検開始信号を受信する受信部と；
受信部を介して点検開始信号が入力するとバッテリからの給電で光源を点灯させる点検モードとなるように制御する点検制御部と；
点検制御部による点検モード結果を記憶する記憶部を有し、前記結果を所望のデータに変換する点検結果変換部と；
赤外線よりも波長が長く、かつ広範囲の指向性の電波によって前記点検結果変換部のデータを外部へ自動的に送信する送信手段と；
を具備することを特徴とする非常用照明装置。
【発明の詳細な説明】
【技術分野】
【０００１】
本発明は、非常用照明装置に関する。
【背景技術】
【０００２】
従来、非常用照明装置である誘導灯や非常灯は、常時に商用電源からの電力によりバッテリの充電が行われている。そして、商用電源からの電源の給電が遮断された非常時には、バッテリからの給電により光源が点灯するようになっている。
【０００３】
このような非常用照明装置は、非常時において人を誘導または人の視覚を確保できる程度の照度を得られるように確実に光源が点灯することが最も重要であるので、定期的に諸事項を点検することが義務付けられているものである。
【０００４】
この定期的に点検を行う事項の一つに、例えば誘導灯であればバッテリからの電力供給によって所定時間（例えば２０分間）光源が点灯するかという点検（以下、「非常点検」という。）がある。そして、一つの制御盤と複数の誘導灯とを専用線で接続し、遠隔制御にて自動的に複数の誘導灯の非常点検を行うことが知られている（例えば、特許文献１参照。）
【０００５】
このような特許文献１の技術は、点検作業者が個々の誘導灯の設置場所にいかなくとも点検結果が分かるので、点検作業効率の改善につながるというものである。
【０００６】
一方、本願出願にんは、外部の送信機であるリモコン端末等を用いた非常点検に関する技術を出願している。これによると、外部送信機からの点検指令により演算制御装置が自動的に非常点検モードに切換え、バッテリ電圧等を検出するというものでるため、個別の誘導灯の点検作業を簡素化できるというものである（例えば、特許文献２参照。）
【特許文献１】特開平８−１８０９８０号公報
【特許文献２】特開２００３−９２０１３号公報
【発明の開示】
【発明が解決しようとする課題】
【０００７】
しかしながら、特許文献１の技術は、制御盤と各誘導灯とを専用線で接続しなくてはならないので、このようなシステムを導入するための設備費用及び設置作業が大変煩雑であるとともに、既に設置されている誘導灯をリニューアルしたい場合には容易に対応することができないものであった。
【０００８】
また、特許文献２記載の技術は、個別の誘導灯の点検開始のためには各誘導灯の設置場所へ行くとともに、点検結果の回収のためには再び各誘導灯の設置場所に行くことになり、常に点検作業時には２度同じ誘導灯の設置場所へ行かなくてはならないものであった。
【０００９】
一方、誘導灯のような非常用照明装置は、点検開始信号が無いにも関わらず、自動的に非常点検モードに切換えることは避けなければならない。すなわち、頻繁に非常点検が発生してしまうと、停電時に非常用照明装置が所定時間非常点灯を維持することができなくなる虞があるためである。
【００１０】
したがって、確実に非常点検を実施することは重要であるとともに、必要以上に非常点検を行うことは、好ましいものではない。
【００１１】
本発明は上記に鑑みなされたものであり、各非常用照明装置の点検を確実に行えるとともに、個別の非常用照明装置の点検効率を向上させ、さらにリニューアルにも対応することができる非常用照明装置を提供することを目的とする。
【課題を解決するための手段】
【００１２】
請求項１に記載の誘導灯によれば、光源と；光源を点灯する点灯回路と；停電時または点検時に点灯回路に電源を供給するバッテリと；常時にバッテリを充電する充電回路と；外部の送信機からの赤外線による点検開始信号を受信する受信部と；受信部を介して点検開始信号が入力するとバッテリからの給電で光源を点灯させる点検モードとなるように制御する点検制御部と；点検制御部による点検モード結果を記憶する記憶部を有し、前記結果を所望のデータに変換する点検結果変換部と；赤外線よりも波長が長く、かつ広範囲の指向性の電波によって前記点検結果変換部のデータを外部へ自動的に送信する送信手段と；を具備することを特徴としている。
【００１３】
本発明及び以下の発明において、特に指定しない限り用語の定義および技術的意味は次による。
【００１４】
点灯回路は、光源を点灯させる手段であり、例えばインバータなどを主体として構成することができる。バッテリは、非常時に光源を所定時間の間点灯させるための電源を光源、点灯回路および点検手段などに供給する手段であって、充電池又は電気二重層コンデンサ等を適宜用いることができる。充電回路は、バッテリを充電する手段であり、例えば商用電源を整流して直流電圧を得てバッテリを充電する。なお、バッテリおよび充電回路は、後述の器具本体に内蔵されていてもよいし、また別置形であってもよい。
【００１５】
点検制御部は、少なくともバッテリの寿命末期を点検するためのであるが、光源の不点を点検できるものであってもよい。また、点検制御部は、外部の送信機からの赤外線による点検開始信号の受信をきっかけに非常点検を自動的に実施するものであるが、赤外線以外に加えて、特定波長の電波である無線信号の入力によっても適宜実施できるように設けることもできる。
【００１６】
また「広範囲の指向性を有し赤外線よりも波長が長い電波」とは、例えばいわゆる無線ＬＡＮの規格であるＩＥＥＥ８０２．１１に準拠した無線通信でデータの送受信可能である電波等であって、無線環境にてデータ通信を行える電波であれば特に限定されるものでない。そして、特定方向のみではなく、比較的電波の指向性に制限がなく、広範囲で受信可能であるような電波であればよいものである。
【００１７】
また点検結果を送信する電波は、点検終了後に自動的に当該結果を送信するようになっているものであるが、外部からの点検結果返信信号の入力や人による任意的な操作によって返信できるようになっているものも含まれる。
【００１８】
なお、光源、点灯回路、バッテリ、充電回路、受信部、点検制御部及び送信部は、器具本体に配設させれることが好ましいが、器具本体外に設けられて各構成部材と電気的に接続されているものであればよい。さらに、非常用照明装置は、いわゆる誘導灯又は非常灯等を含むものである。
【００１９】
本発明の作用について説明する。まず、例えば、非常用照明装置の設置場所へ来た作業者は、特定の非常用照明装置の受信部へ向けて非常点検を開始させるための赤外線信号を送信機から送信する。そして、この赤外線信号を受信部で受信すると点検制御部によって点灯回路が擬似的に停電状態となるとともに、光源の点灯回路の電源をバッテリに切り換えて非常点検モードとする。この非常点検モード中に点検制御部ではバッテリの寿命点検及び判断が行われる。なお、点検制御部による点検は、点検モードが所定時間（例えば２０分）継続された場合に、当該所定時間後のバッテリの状態が寿命末期となっているか否か点検及び判断を行うことも含まれるし、所定時間内であってもバッテリの状態が寿命末期と判断されれば、当該情報を検出することもできるものであってもよい。
【００２０】
次に、所定時間経過して非常点検モードが終了すると、点検制御部は例えば点検結果を記憶部へ書き込むとともに、記憶部に書き込まれた点検結果を所望のデータに点検結果変換部で変換し、このデータを自動的に送信手段から電波によって外部へ送信する。
【００２１】
その後、外部へ送信された電波の通信データは、例えば無線ＬＡＮ中継器で受信されて外部の集中管理装置等へ集められる。
【００２２】
本発明によれば、非常点検開始は確実に実施でき、かつ、不所望に点検が開始されることがないように非常点検開始のきっかけを指向性の狭い赤外線を用いて各非常用照明装置毎に実施するようにしている。すなわち、非常点検を実施するために点検作業者は、非常用照明装置の設置場所に必ず一度は行くことにしている。これは、非常点検の他、非常用照明装置の外観上の不具合や必要であれば内部の端子状況等を定期的に検査することが非常用照明装置の安全性および信頼性を確保するためには重要であることに鑑みたものである。また、非常点検開始の受信方法を例えば無線データ通信可能である電波を採用することも考えられるが、このような電波による受信方法を採用すると、非常用照明装置への点検指令以外にも種々の通信データが当該非常用照明装置が設置された空間で存在する状態であるため、本来は非常用照明装置への点検開始の無線信号ではない信号を受信した際に誤って点検開始信号と誤認識してしまう虞があり、不所望な非常点検を実施してしまうことが考えられる。したがって、各非常用照明装置の非常点検を確実に行うためには、赤外線通信手段を用いた形態が非常用照明装置の安全性及び信頼性を高いレベルで確保する上で、非常に有効である。
【００２３】
一方、非常点検の点検結果は、自動的に電波にて送信するようにしているため、点検作業者は、点検結果を収集するために再び各非常用照明装置の設置場所に行かなくてもよい。これにより、点検作業者が各非常用照明装置の設置場所にいく回数を極力抑えることができる。
【００２４】
また、本発明によれば、電波による無線通信の環境さえ整っていれば、既設の非常用照明装置に代えて容易に高性能の非常用照明装置へとリニューアルをすることができる。
【発明の効果】
【００２５】
請求項１記載の発明によれば、非常点検を実施したい場合には指向性の狭い赤外線の信号を各非常用照明装置毎に送信することで確実に点検制御部の点検動作を開始させるとともに、非常点検終了後は、送信部から点検結果のデータが電波によって自動的に送信されるため、点検作業者は、点検結果の収集のために各非常用照明装置の設置場所に行くことはない。つまり、点検作業者が各非常用照明装置の設置場所に行く回数を極力抑えることができるので、点検効率を高めることができる。
【００２６】
また、仮に既設の非常用照明装置が設置された環境に送信部から送信する電波を受信できる無線通信の環境が整っていれば、本発明の非常用照明装置を既設の非常用照明装置に代えて設置することを容易に実現できるため、リニューアルに対しても対応が容易となる。
【発明を実施するための最良の形態】
【００２７】
本発明の一実施形態を図面を参照して説明する。図１は第一実施形態の非常用照明装置である誘導灯を示した一部切欠き断面正面図、図２は本実施形態の誘導灯の斜視図、図３は本実施形態の送受信部を示す拡大断面図、図４は本実施形態の誘導灯の回路構成図である。
【００２８】
非常用照明装置である誘導灯１は、器具本体９、点灯ユニット収納ボックス２、光源３、バッテリ２０、誘導表示体８、筐体５０、送受信ユニット７０等を具備しているものであって、天井または壁面に取付けられるものである。
【００２９】
器具本体９は、周枠部９１を有しており、その周枠部９１の一方側には開口部９８が形成され、他方側には底板９９が形成されている。
【００３０】
また器具本体９の周枠部９１の底辺９１Ａには第一、第二、第三および第四の孔部９２Ａ，９２Ｂ、９３，９４が形成されている。
【００３１】
また器具本体９の周枠部９１と底板９９とで形成された空間には電気部品収納部９５が形成されており、この収納部９５内に後述する点灯ユニット収納ボックス２、バッテリ２０および筐体５０が収納配置される。
【００３２】
また器具本体９の底板９９には点灯ユニット収納ボックス２の上方に壁面側から挿入される電源線の挿通用の電源線挿通孔９６が形成されており、同じく底板９９には誘導灯１を壁面に取付ける際に用いる取付用孔９７が形成されている。
【００３３】
光源３は、冷陰極蛍光ランプであって、誘導表示体８の上方に光源ホルダ３１によって位置するように設けられている。なお、この光源ホルダ３１は、両端部にソケット３２を具備し、さらに光源３の一部を覆うように反射板３３が形成されているものである。
【００３４】
誘導表示体８は、表面に避難方向を示すシンボルが表示されるように形成されるものであって、本実施形態においては、その内部に図示しない導光板を有し、その導光板を重なるようにシンボルが印刷等された表示板を設けているものである。そして、上記導光板の一端部側から上記した光源３の出射光を入射させてシンボルを照明／表示させるものである。
【００３５】
点灯ユニット収納ボックス２は、内部に後述する点灯ユニット１０等、光源３の点灯装置、バッテリ２０の充電回路及び種々の制御を行う制御部等が収納されている。そして、この点灯ユニット収納ボックス２はネジ２１により器具本体９に固定されている。
【００３６】
バッテリ２０は、器具本体９の周枠部９１の底辺９１Ａであって、電気部品収納部９５側に位置するように底辺９１Ａに載置されている。そして、図示しない配線によって点灯ユニット収納ボックス２内の点灯ユニット１０と電気的接続がなされている。
【００３７】
筐体５０は、図１，２に示したように、その底部５８から露出するように押圧式の点検スイッチ５が設けられているとともに、底部５８には報知部としてのＬＥＤ７とが設けられている。そして、筐体５０の点検スイッチ５およびＬＥＤ７は、器具本体９の底辺９１Ａの第三および第四の孔部９３，９４から外報へ臨むように配設される。
【００３８】
送受信ユニット７０は、図３に示したように、その底部７１から先端が露出するように送信手段の一部である送信部７２が設けられているとともに、底部７１から奥側に受信部７３が設けられている。
【００３９】
また、送受信ユニット７０は、図１、３に示したように、器具本体９の底辺９１Ａに載置して固定されている。そして、図３に示すように、送信部７２は底辺９１Ａの第一の孔部９２Ａと対向するように配設されつつ、表面９１Ｂからは若干奥まった位置に配設されている。同様に、受信部７３も底辺９１Ａの第二の孔部９２Ｂと対向するように配設されつつ、表面９１Ｂからは受信部７３よりも奥まった位置に配設されている。
【００４０】
そして筐体５０と送受信ユニット７０とは、配線５１、７８を介して点灯ユニット収納ボックス２内の点灯ユニット１０と電気的接続がなされているものである。
【００４１】
次に本実施形態の誘導灯１の回路構成について図４を参照して説明する。
【００４２】
点灯ユニット１０は、常用点灯回路１４、充電回路１５、発振制御部１６、インバータ回路１７及び制御ユニット１９等からなっており、商用電源１１からの電力は整流回路１２に入力され、トランス１３を介して常用点灯回路１４および充電回路１５に入力される。そして、常用点灯回路１４は発振制御部１６により制御され、トランス１を介して入力された電力をインバータ回路１７で高周波電力に変換して光源３に点灯電力を供給する。
【００４３】
また、発振制御部１６は、制御ユニット１９の点灯制御部１９Ａからの制御指令に基づいて制御され、常用点灯モードのときに常用点灯回路１４により光源３を高周波点灯させる。なお、図示しないが、点検スイッチ５も点灯ユニット１０に接続されている。
【００４４】
一方、充電回路１５は、商用電源１１の非常時にバッテリ２０からの電源をインバータ回路１７を介して光源３に給電して光源３を点灯させるものであり、常用点灯モードのときには、トランス１３からの電力をバッテリ２０に充電している。そして、商用電源１１が停電等の非常時には、点灯制御部１９Ａは、充電回路１５に動作指令を出力してバッテリ２０の充電電力をインバータ回路１７に供給させる。これにより、商用電源１１の停電時にはバッテリ２０からの充電電力がインバータ回路１７で高周波変換されて光源３に給電される。これにより、商用電源１１が停電した場合であっても誘導灯１の光源３の点灯を継続できるようにしている。
【００４５】
送受信ユニット１８は、外部の送信機であるリモコン端末６０からの赤外線６１による点検開始指令の信号を受信する受信部７２と、当該点検結果を電波６２にて送信する送信部７３が内蔵されているものである。そして、リモコン端末６０からの点検開始信号が受信部６で受信された場合、点検ユニット１８を介して点検開始指令が点検制御部１９Ｂに入力されるので、点検制御部１９Ｂは非常点検モードとなるように点灯制御部１９Ａの制御を行う。
【００４６】
そして、非常点検モードとなった点灯制御部１９Ａは、発振制御部１６に対して常用点灯回路１４からの電力供給よって光源３が点灯されないように指令を出力すると共に、充電回路１５のバッテリ２０からインバータ回路１７に充電電力の供給をするように動作指令を出力する。これにより、模擬停電状態となって非常点検モードとなる。そして、所定時間（例えば２０分）経過後または所定時間経過中にバッテリ電圧およびランプ点灯状況等の検出し、その検出結果を記憶部６１に記憶する。
【００４７】
非常点検モード終了後においては、点灯制御部１９Ａが発振制御部１６に対して動作指令を出力して常用点灯回路１４を動作させると共に、バッテリ２０の放電を停止させ常用点灯モードに復帰させることとなる。
【００４８】
さらに非常点検モード終了後は、記憶部６１に書き込まれた点検結果を点検結果変換部１９Ｃで無線ＬＡＮの規格であるＩＥＥＥ８０２．１１に準拠した無線通信により当該点検結果を送信可能であるようなデータへ変換するとともに、変換後に自動的に送信部７３から当該データを載せた無線ＬＡＮ対応の電波６２が広範囲に出力されるようになっている。
【００４９】
そして、この電波６２が誘導灯１が設置されている場所の最も近くに設けられている無線ＬＡＮ中継器６３が受信すると、当該データが無線ＬＡＮ中継器６３と同一のネットワークＬＡＮ環境に接続している集中管理装置６４へ入力可能となるため、集中管理装置６４の所望の操作によって複数の誘導灯１の点検結果を一括で集めることができる。
【００５０】
本実施形態によれば、非常点検モードを実施するために点検作業者は、誘導灯１の設置場所に必ず一度は行くことにしている。これは、非常点検の他、誘導灯１の誘導表示体８や器具本体９の外観上の不具合は実際の誘導灯１を見なければ確認することはできないからのである。したがって、定期的な非常点検に合せて誘導灯１を少なくとも一度は実物を確認するようにし、高い信頼性をできるだけ確保しつづけるようにしているものである。また、必要であれば器具本体９内に設けられる電源端子等を定期的に検査することもできるので、誘導灯１の信頼性を高い状態に確保することができるものである。
【００５１】
さらにまた、本実施形態によれば、受信部７３の受信により非常点検モードを開始するきっかけを専用リモコン６０の赤外線の受信に限定していることより、他の通信信号の誤受信による不所望な非常点検が開始されないようにしている。すなわち、受信部７３の受信手段を例えば無線ＬＡＮ環境においてデータ通信可能である電波を採用することもできるが、このような無線データは、誘導灯１への点検指令以外にも種々の通信データが誘導灯１が設置された空間で存在する状態であるので、本来は誘導灯１への点検開始の無線信号ではない信号を誤って点検開始信号と誤認識してしまう虞がある。したがって、不所望な非常点検は回避することで、誘導灯１の安全性及び信頼性を高いレベルで確保することができる。
【００５２】
一方、非常点検の点検結果は、自動的に電波６１にて送信するようにしているため、点検作業者は、点検結果を収集するために再び各誘導灯１の設置場所に行かなくてもよい。これにより、点検作業者が各誘導灯１の設置場所へ行く回数を極力抑えることができるので、点検作業の効率化を図ることができる。
【００５３】
また、本実施形態によれば、無線ＬＡＮの環境さえ整っていれば、仮に既設の誘導灯が設置されていた場合であっても、高機能である誘導灯１を専用信号線等を配線する必要なくリニューアル対応することできるため、非常に効果的である。
【図面の簡単な説明】
【００５４】
【図１】本実施形態の非常用照明装置である誘導灯を示した一部切欠き断面正面図
【図２】本実施形態の誘導灯の斜視図
【図３】本実施形態の送受信部を示す拡大断面図
【図４】本実施形態の誘導灯の回路構成図
【符号の説明】
【００５５】
１…非常用照明装置である誘導灯、３・・・光源、１５…充電回路、１９Ｂ…点検制御部、１９Ｃ…点検結果変換部、２０・・・バッテリ、７２・・・受信部、７３・・・送信部、
【図１】
2008084685.tif 000003
【図２】
2008084685.tif 000004
【図３】
2008084685.tif 000005
【図４】
2008084685.tif 000006